(57)【要約】      （修正有）【課題】取り扱いが面倒でなく、使用時に安定したゴルフティーであって、曇天時や野外照明点灯前の夕方のプレーにおいて抜地飛去したゴルフティーを容易に発見可能なゴルフティーを提供する。【解決手段】地面に差し込み自立させる先細り形状の支持部分と、その支持部分に連なり地面よりも上方へ突出してゴルフボールを載せる載置部分とからなり、発光体及び電源を内蔵する。【選択図】図１
0003170715.tif 000002
【実用新案登録請求の範囲】
【請求項１】
地面に差し込み自立させる先細り形状の支持部分と、その支持部分に連なり地面よりも上方へ突出してゴルフボールを載せる載置部分とからなるゴルフティーであって、発光体び電源を内蔵したゴルフティー。
【請求項２】
支持部分に発光体を内蔵した請求項１のゴルフティー。
【請求項３】
発光体は点滅することを特徴とする請求項１又は請求項２のゴルフティー。
【考案の詳細な説明】
【技術分野】
【０００１】
本考案は、ゴルフ用のティーに関し、発光体のうち特に発光素子を内蔵したゴルフティーに関する。
【背景技術】
【０００２】
ゴルフ競技においてゴルフティーは、ティーグランドやプレーインググランド上で打球の際に使用され、先端を地面に差し込み、上端にゴルフボールを載置し、ウッドあるいはアイアンのクラブで載置されたゴルフボールを打つものである。
【０００３】
しかし、このゴルフティーは、ボールを打ち放った際、前後左右のいずれかに飛んでしまうことがある上、見つけることが難しく、そのために時間を要し、プレー遅延をもたらし後続のパーティーにも迷惑がかかるという問題が指摘されてきた。
また、プレーヤーは打ち放ったボールの行方を早く追いすぎてヘッドアップの原因となっていた。
【０００４】
この点に関して、打撃後に拡開板が外方へ開き、空気抵抗により遠方まで飛ばされない構成としたゴルフ用ティー（特許文献１）や、側面に通気孔を設けた円筒台状とし、中空部や通気孔からの空気抵抗により共飛びする距離を抑制するゴルフティー（特許文献２）など、ゴルフティーが抜地飛去したときに遠方まで飛ばないような特徴を備えた技術が開示されている。
【０００５】
一方、ボールを打ち放った際に飛んでいったゴルフティーを容易に発見できるよう、原料樹脂に蛍光物質を混合して成形したゴルフゲーム付属品（特許文献３）や、蛍光塗料を塗布したゴルフ用ティー（特許文献４）が開示されている。
【先行技術文献】
【特許文献】
【０００６】
【特許文献１】実開昭５９−０３０２６７号公報
【特許文献２】ＷＯ／２００７−１５３７９号公報
【特許文献３】実開平０３−０９６８９１号公報
【特許文献４】実開平０４−０３５４６７号公報
【考案の概要】
【考案が解決しようとする課題】
【０００７】
特許文献１に記載のゴルフ用ティーは、拡開板をゴルフクラブで直接打撃することによる破損が危惧される。特にアイアンによるティーショット時にはアイアンのソール部分が拡開板を直撃して破損する可能性が高い。また、通常、ティーショット後はズボン等のポケットにしまうことが多いため、ティーショットを打つたびに拡開板を閉じなければならず、取り扱いが面倒である。
【０００８】
特許文献２に記載のゴルフティーは、形状が従来のゴルフティーと極めて相違することから、プレイヤーがアドレス（打撃準備）に入るときに抱くであろう違和感が拭えない。また、地中に突き刺して使用するものではなく、また、空気抵抗を受けるように設計された円筒状という形状のため、ティーアップ時においても空気抵抗を受けてしまうので、風が強い日のプレーでは安定しない。
【０００９】
一方、原料樹脂に蛍光物質を混合して成形したゴルフゲーム付属品（特許文献３）や蛍光塗料を塗布したゴルフ用ティー（特許文献４）は、蛍光物質を混合しない樹脂で成形したゴルフティー、或いは蛍光塗料を塗布しないゴルフティーと比べると抜地飛去したゴルフティーを見つけるのは容易となろう。しかし、曇天時や野外照明点灯前の夕方のプレーにおいては蛍光物質の効果が常に発揮しうるとは限らない。
【００１０】
そこで本考案の目的は、取り扱いが面倒でなく、外見上は従来のゴルフティーと変わりなく、且つ使用時に安定し、そして曇天時や夕方のプレーにおいても抜地飛去したゴルフティーを容易に発見可能なゴルフティーを提供することを課題とする。
【課題を解決するための手段】
【００１１】
上記課題を解決するため、請求項１に係るゴルフティーは、地面に差し込み自立させる先細り形状の支持部分と、その支持部分に連なり地面よりも上方へ突出してゴルフボールを載せる載置部分とからなり、発光素子び電源を内蔵したことを特徴とする。
【００１２】
請求項２に係るゴルフティーは、請求項１に記載の構成において、支持部分に発光素子を内蔵したことを特徴とする。
【００１３】
請求項３に係るゴルフティーは、請求項１又は請求項２の構成において、発光素子は点滅することを特徴とする。
【考案の効果】
【００１４】
請求項１に記載のゴルフティーによれば、内臓した発光素子が放つ光により曇天時や野外照明点灯前の夕方のプレーにおいても、抜地飛去したゴルフティーを容易に見つけ出すことが可能である。
【００１５】
請求項２に記載のゴルフティーによれば、更に支持部分に発光素子や電源を内蔵したことで、クラブヘッドが発光素子や電源を直撃するおそれがなく、ゴルフティーの耐久性が確保される。
【００１６】
請求項３に記載のゴルフティーによれば、発光素子が点滅して光を放つことにより、プレイヤーはゴルフティーの所在をより容易に発見することが可能となる。
【図面の簡単な説明】
【００１７】
【図１】第一の実施形態のゴルフティーを示す断面概略図である。
【図２】第一の実施形態のゴルフティーを点滅させた状態を示す断面概略図である。
【図３】第一の実施形態のゴルフティーの使用状態を示す図である。
【図４】第二の実施形態のゴルフティーを示す断面概略図である。
【図５】第二の実施形態のゴルフティーを点滅させた状態を示す断面概略図である。
【考案を実施するための形態】
【００１８】
〔第一の実施形態〕
以下、本考案の第一の実施形態について図１〜図３を参照しながら説明する。    
本実施の形態は、発光体として、発振回路が内臓された高速自己点滅型赤色発光ダイオード（以下、本実施の形態において単に発光ダイオードと称す。）・５ｍｍ径（「ＯＳＥＲ５Ｘ３１Ａ−２．８Ｈ」オプトサプライリミテッド社製）を１つ用い、これをピン形リチウム電池（「ＢＲ４２５／２Ｂ」パナソニック社製）で点滅点灯させるものである。
【００１９】
図中、１０は本体、１１は支持部分、１２は載置部分、１３はスイッチ、１４は発光ダイオード、１５はピン形リチウム電池、１６はコイルスプリングである。
【００２０】
本実施形態に係る全長略７７ｍｍのゴルフティー１０は、地面に差し込んで自立させる直径略７ｍｍ径の先細り形状をなした支持部分１１と、その支持部分に連なり地面よりも上方へ突出し、先端にゴルフボールを載せる直径略１０ｍｍの載置部分１２とからなり、該支持部分１１の内側に発光体である発光ダイオード１４を設けてなる（図１）。
【００２１】
更に本体１内にはピン型リチウム電池１５が１本内蔵され、載置部分１２のうち上端のゴルフボールを支える部分を螺合式のスイッチ１３とした（図１）。
【００２２】
発光ダイオード１４とピン形リチウム電池１５との間には電気伝導体からなるコイルスプリング１６が張架され、設定Ａと接点Ｂを接続する。接点Ａは発光ダイオード１４の一本の端子に接している（図１）。
【００２３】
また、コイルスプリング１６により、ピン形リチウム電池１５は長手方向上方に付勢され、通常、接点Ｃと接点Ｄとを適宜離間している。ここで接点Ｃは発光ダイオード１４の他方の端子につながれ、接点Ｄはピン形リチウム電池１５の電極を示す（図１）。
なお、必要に応じて電圧や電量を制御するために接点Ａと接点Ｂとの間に抵抗を設けても良い。
【００２４】
また、支持部分１１及び載置部分１２の内部には、上記構成部品を適宜内蔵可能な空間を設けてなる。
【００２５】
本実施形態に係るゴルフティー１０は、スイッチ１３を回転させてピン形リチウム電池１５をコイルスプリング１６の付勢に抗って下方へ進め、接点Ｃと接点Ｄとを接触させて発光ダイオード１４を点滅点灯させる（図２）。
【００２６】
プレイヤーは、この点滅点灯させた状態でゴルフティー１０の支持部分１１を地面に差し込み自立させ、その支持部分に連なり地面よりも上方へ突出した載置部分１２の上端へゴルフボールＳを載置する（図３）。
【００２７】
このとき、ゴルフティーは地中で点滅点灯していることから、アドレス（ボールを打つための構え）に入ったプレーヤーの集中を妨げることはない。そして、打球後、抜地飛去したゴルフティーは点滅点灯を続けていることから、どこに落下したか発見が容易である。
【００２８】
本実施形態におけるゴルフティー１０の支持部分１１と、スイッチ１３を除く載置部分１２の材質はポリカーボネートなどの硬質樹脂製とし、スイッチ１３はポリウレタンなど軟質樹脂製が好ましい。なお、本考案の目的達成を妨げない限り他の材質を使用することとしてもよく、発光ダイオードの取付手段やスイッチについても種々の手段が利用可能である。また、本考案の趣旨から、少なくとも支持部分１１は透明又は半透明とする。
【００２９】
〔第二の実施形態〕
次に、本考案の第二の実施形態について図４、図５を参照しながら説明する。  
本実施の形態は、発光体として、高輝度発光ダイオード（以下、本実施の形態において単に発光ダイオードと称す。）・1.６ｍｍ径を赤、黄、緑各色１個ずつ並列につなぎ、これらを直列につないだ２本のピン形リチウム電池（ＢＲ４２５／２Ｂ：パナソニック製）で点滅点灯させるものである。
【００３０】
図中、２０は本体、２１は支持部分、２２は載置部分、２３はスイッチ、２４は発光ダイオード、２５はピン形リチウム電池、２６はコイルスプリングである。
【００３１】
さらに、図示しないが、各発光ダイオードを点滅点灯させるために０．１２５秒周期のＬＥＤフラッシャーＩＣ（Ｍ３４−８Ｌ：Ｂｏｗｉｎ  Ｅｌｅｃｔｒｏｎｉｃ  Ｃｏｍｐａｎｙ製)と、所定値の抵抗を実装する。
【００３２】
本実施の形態において、ピン形リチウム電池２５ａのプラス極は接触片αと接しており、該接触片αは発光ダイオードの（−）端子と接続する（図４）。
【００３３】
接点Ｇ、即ちピン形リチウム電池２５ａの（−極）は、接点Ｈと接続し、さらに接点Ｈから遊架した接触片βは、電源ＯＮのときにピン形リチウム電池２５ｂのプラス極に接触する（図４）。
【００３４】
ピン形リチウム電池２５ｂはコイルスプリング２６により長手方向上方に付勢され、通常、接点Ｅと接点Ｆとを適宜離間している（図４）。
【００３５】
本実施形態に係るゴルフティー２０は、スイッチ２３を回転させてピン形リチウム電池２５ｂをコイルスプリング２６の付勢に抗って下方へ進め、接点Ｅと接点Ｆとを接触させて発光ダイオード２４を点滅点灯させる（図５）。
【００３６】
本実施の形態においても、前記の実施形態同様、ゴルフティー２０は地中で点滅点灯していることから、アドレス（ボールを打つための構え）に入ったプレーヤーの集中を妨げることはない。そして、打球後、抜地飛去したゴルフティーは複数の色を組み合わせて点滅点灯を続けていることから、どこに落下したか発見がより一層容易である。
【００３７】
本実施形態におけるゴルフティー２０の支持部分２１と、スイッチ２３を除く載置部分２２の材質はポリカーボネートなどの硬質樹脂製とし、スイッチ２３はポリウレタンなど軟質樹脂製が好ましい。なお、本考案の目的達成を妨げない限り他の材質を使用することとしてもよく、発光ダイオードの取付手段やスイッチについても種々の手段が利用可能である。また、本考案の趣旨から、少なくとも支持部分２１は透明又は半透明とする。
【産業上の利用可能性】
【００３８】
本考案のゴルフティーは、晴天時や昼間に加え、曇天時や野外照明点灯前の夕方のプレーにおいて有効に利用される。
【符号の説明】
【００３９】
１０，２０  本体
１１，２１  支持部分
１２，２２  載置部分
１３，２３  スイッチ
１４，２４  発光ダイオード
１５，２５  ピン形リチウム電池
１６，２６  コイルスプリング
Ｓ  ゴルフボール
【図１】
0003170715.tif 000003
【図２】
0003170715.tif 000004
【図３】
0003170715.tif 000005
【図４】
0003170715.tif 000006
【図５】
0003170715.tif 000007